【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
インクカートリッジを着脱可能に装着するカートリッジホルダと、カートリッジホルダに装着され、加圧されたインクカートリッジからのインクの供給により、印刷制御データに基づいてインク滴を吐出して記録媒体に画像を形成する記録ヘッドとを備え、インクカバーを開けたときに前記加圧を抜き、インクカートリッジをカートリッジホルダから外したときに漏れるインク廃液を、前記カートリッジホルダに設けられたインク廃液吸収部材に吸収するインクジェット式記録装置であって、
前記インクカバーを開けたときから、前記インクカートリッジが前記カートリッジホルダから外されたときまでの時間を計測してインク漏れ量を検出することを特徴とするインクジェット式記録装置。
【請求項２】
インクカートリッジを着脱可能に装着するカートリッジホルダと、カートリッジホルダに装着され、加圧されたインクカートリッジからのインクの供給により、印刷制御データに基づいてインク滴を吐出して記録媒体に画像を形成する記録ヘッドとを備え、インクカバーを開けたときに前記加圧を抜き、インクカートリッジをカートリッジホルダから外したときに漏れるインク廃液を、前記カートリッジホルダに設けられたインク廃液吸収部材に吸収するインクジェット式記録装置であって、
前記インクカバーを開けたときから、前記インクカートリッジが前記カートリッジホルダから外されたときまでのインクカートリッジやカートリッジホルダの流路内の圧力変化に応じたインク廃液量を計測するインク廃液量計測手段を備えることを特徴とするインクジェット式記録装置。
【請求項３】
インクカートリッジをカートリッジホルダに着脱可能に装着し、加圧されたインクカートリッジからのインクの供給により、印刷制御データに基づいてインク滴を記録ヘッドから吐出して記録媒体に画像を形成し、インクカバーを開けたときに前記加圧を抜いて、インクカートリッジをカートリッジホルダから外したときに漏れるインク廃液を、前記カートリッジホルダに設けられたインク廃液吸収部材に吸収させるインクジェット式記録装置のインク廃液管理方法であって、
前記インクカバーを開けたときから、前記インクカートリッジが前記カートリッジホルダから外されたときまでの時間に応じてインク廃液の量を求めることにより、前記インク廃液吸収部材に吸収されるインク廃液を管理することを特徴とするインクジェット式記録装置のインク廃液管理方法。
【請求項４】
インクカートリッジをカートリッジホルダに着脱可能に装着し、加圧されたインクカートリッジからのインクの供給により、印刷制御データに基づいてインク滴を記録ヘッドから吐出して記録媒体に画像を形成し、インクカバーを開けたときに前記加圧を抜いて、インクカートリッジをカートリッジホルダから外したときに漏れるインク廃液を、前記カートリッジホルダに設けられたインク廃液吸収部材に吸収させるインクジェット式記録装置のインク廃液管理方法であって、
前記インクカバーを開けたときから、前記インクカートリッジが前記カートリッジホルダから外されたときまでのインクカートリッジやカートリッジホルダの流路内の圧力変化に応じたインク廃液量を計測することを特徴とするインクジェット式記録装置のインク廃液管理方法。
【手続補正２】
【補正対象書類名】明細書
【補正対象項目名】０００７
【補正方法】変更
【補正の内容】
【０００７】
ところで、従来のインクジェット式記録装置におけるインクカートリッジの装着機構にあっては、インクカートリッジをカートリッジホルダに繰返し付け替えると、インク供給針に対するインク取り出し口の抜き差し部分が次第に疲労し、形状変化による隙間が発生する。このためこの隙間から、インクカートリッジや、このインクカートリッジと記録ヘッドとを結ぶインクチューブ内に残ったインクが外に漏れやすくなる。
【手続補正３】
【補正対象書類名】明細書
【補正対象項目名】０００８
【補正方法】変更
【補正の内容】
【０００８】
また、インクカートリッジを装着しているカートリッジホルダにおいて、インクカートリッジを取り出すためにカートリッジホルダ側のインクカバーを開くと、これまで加圧ポンプによってインクカートリッジに掛けられていた圧力が開放される。
この圧力は徐々に低下するが、当初の数秒間は未だ高い圧力を維持しており、インクカートリッジや、このインクカートリッジと記録ヘッドとを結ぶチューブ内の、インクがその抜き差し部から外に漏れるという問題があった。
【手続補正４】
【補正対象書類名】明細書
【補正対象項目名】０００９
【補正方法】変更
【補正の内容】
【０００９】
これに対して、前記の抜き差し部から漏れ出るインクをスポンジなどのインク廃液吸収部材に吸収させることで、カートリッジホルダ内にインク廃液が溜まったり、付着したりしないようにし、またインクカートリッジの交換時等に手が汚れるのを回避可能にしている。
【手続補正５】
【補正対象書類名】明細書
【補正対象項目名】００１２
【補正方法】変更
【補正の内容】
【００１２】
本発明の目的は、以下の構成により達成される。
（１）  インクカートリッジを着脱可能に装着するカートリッジホルダと、カートリッジホルダに装着され、加圧されたインクカートリッジからのインクの供給により、印刷制御データに基づいてインク滴を吐出して記録媒体に画像を形成する記録ヘッドとを備え、インクカバーを開けたときに前記加圧を抜き、インクカートリッジをカートリッジホルダから外したときに漏れるインク廃液を、前記カートリッジホルダに設けられたインク廃液吸収部材に吸収するインクジェット式記録装置であって、
前記インクカバーを開けたときから、前記インクカートリッジが前記カートリッジホルダから外されたときまでの時間を計測してインク漏れ量を検出することを特徴とするインクジェット式記録装置。
(２）  インクカートリッジを着脱可能に装着するカートリッジホルダと、カートリッジホルダに装着され、加圧されたインクカートリッジからのインクの供給により、印刷制御データに基づいてインク滴を吐出して記録媒体に画像を形成する記録ヘッドとを備え、インクカバーを開けたときに前記加圧を抜き、インクカートリッジをカートリッジホルダから外したときに漏れるインク廃液を、前記カートリッジホルダに設けられたインク廃液吸収部材に吸収するインクジェット式記録装置であって、
前記インクカバーを開けたときから、前記インクカートリッジが前記カートリッジホルダから外されたときまでのインクカートリッジやカートリッジホルダの流路内の圧力変化に応じたインク廃液量を計測するインク廃液量計測手段を備えることを特徴とするインクジェット式記録装置。  
（３）  インクカートリッジをカートリッジホルダに着脱可能に装着し、加圧されたインクカートリッジからのインクの供給により、印刷制御データに基づいてインク滴を記録ヘッドから吐出して記録媒体に画像を形成し、インクカバーを開けたときに前記加圧を抜いて、インクカートリッジをカートリッジホルダから外したときに漏れるインク廃液を、前記カートリッジホルダに設けられたインク廃液吸収部材に吸収させるインクジェット式記録装置のインク廃液管理方法であって、
前記インクカバーを開けたときから、前記インクカートリッジが前記カートリッジホルダから外されたときまでの時間に応じてインク廃液の量を求めることにより、前記インク廃液吸収部材に吸収されるインク廃液を管理することを特徴とするインクジェット式記録装置のインク廃液管理方法。
（４）  インクカートリッジをカートリッジホルダに着脱可能に装着し、加圧されたインクカートリッジからのインクの供給により、印刷制御データに基づいてインク滴を記録ヘッドから吐出して記録媒体に画像を形成し、インクカバーを開けたときに前記加圧を抜いて、インクカートリッジをカートリッジホルダから外したときに漏れるインク廃液を、前記カートリッジホルダに設けられたインク廃液吸収部材に吸収させるインクジェット式記録装置のインク廃液管理方法であって、
前記インクカバーを開けたときから、前記インクカートリッジが前記カートリッジホルダから外されたときまでのインクカートリッジやカートリッジホルダの流路内の圧力変化に応じたインク廃液量を計測することを特徴とするインクジェット式記録装置のインク廃液管理方法。